(57)【特許請求の範囲】
【請求項１】
エスカレータの手摺の表面にあてがって該手摺を清掃する清掃手段と、
該清掃手段をエスカレータ乗降口の円弧状反転部の所定の高さ位置に手摺にあてがわせた状態で支持させる支持装置と、
手摺を清掃中であることをエスカレータ利用者に視認させるための表示手段と、を備え、
表示手段は、エスカレータの該手摺に当接し、該手摺の移動に伴って回転することにより視覚的に注目喚起させる表示用回転部材を含むことを特徴とするエスカレータの手摺清掃装置。
【請求項２】
支持装置は、エスカレータ乗降口の円弧状反転部の縦壁を第１、第２の挟持部材で挟持して清掃手段を該所定の高さ位置に支持する挟着装置を有することを特徴とする請求項１記載のエスカレータの手摺清掃装置。
【請求項３】
支持装置は、エスカレータ乗降口の円弧状反転部の縦壁の壁面に吸着して清掃手段の支持位置を保持する吸盤装置を含むことを特徴とする請求項１又は２記載のエスカレータの手摺清掃装置。
【請求項４】
支持装置は、該清掃手段を外部から覆って収容状に保持するカバー体を有することを特徴とする請求項１ないし３のいずれかに記載のエスカレータの手摺清掃装置。
【請求項５】
表示手段は、支持装置に着脱自在に装着され、図及び／又は文字が施された表示体を含むことを特徴とする請求項１ないし４のいずれかに記載のエスカレータの手摺清掃装置。
【請求項６】
表示体と支持装置とは、磁力吸着により吸着可能に設けられたことを特徴とする請求項５記載のエスカレータの手摺清掃装置。
【発明の詳細な説明】
【技術分野】
【０００１】
本発明は、エスカレータの移動手摺をクリーニングするエスカレータ手摺清掃装置に関する。
【背景技術】
【０００２】
エスカレータは、自動で昇降する階段状のステップの左右の欄干部に、ステップと連動して移動するベルト状の手摺が設けられている。エスカレータの手摺の表面は、利用者の手の汚れが付着したり、塵埃が堆積したりして汚れることから、定期的に清掃する必要がある。従来の清掃作業は、例えば、作業者がブラシやスポンジ等を使って手作業で清掃しているが、労力及び作業時間もかかる問題があった。一方、エスカレータの手摺を自動的に清掃する技術が提案されており、例えば、特許文献１には、エスカレータの移動手摺に摺接させて移動手摺を清掃する清掃部材を載せるエスカレータの移動手摺清掃台であり、ブラシやスポンジ等の清掃部材が配置される台座と、台座を支持する一組の脚フレームと、一組の脚フレームの高さを調整する高さ調整ハンドルと、一組の脚フレームの傾きを調整する傾き調整ハンドルと、を備えたものが開示されている。
【先行技術文献】
【特許文献】
【０００３】
【特許文献１】特開２００３−１４６５７４号公報
【発明の概要】
【発明が解決しようとする課題】
【０００４】
エスカレータでは、動くステップ上に立って移動することから、手摺をつかまっていないと身体が不安定であり、エスカレータが急停止した際に又は不意に、転倒したり、落下したりして、怪我や死亡事故が発生する危険性も高い。したがって、エスカレータを利用する際には手摺をつかむことが望ましいが、エスカレータは不特定多数の人が利用することから、利用者の中には手摺を不潔に感じてつかむことを躊躇したり、手摺をつかまないものも多いといった問題があった。また、特許文献１のエスカレータの移動手摺清掃台では、清掃部材を台座に載せる構造で、エスカレータの手摺出入口近傍の床に設置されるものであるから、エスカレータの利用者には清掃台が見えづらく、清掃中であることが分かりにくかった。そのため、特許文献１のようなものでエスカレータの手摺が清掃されていたとしても、利用者には清潔であるかどうかは分からず、手摺をつかむのに抵抗を感じてしまうおそれがあった。
【０００５】
本発明は上記従来の課題に鑑みてなされたものであり、その一つの目的は、常時エスカレータの手摺が清掃されて清潔であることを利用者に注目喚起させ、利用者が手摺をつかむことを促進させて該利用者の安全性を向上させ得るエスカレータの手摺清掃装置を提供することにある。
【課題を解決するための手段】
【０００６】
上記課題を解決するため本発明は、エスカレータの手摺１１０の表面にあてがって該手摺１１０を清掃する清掃手段１２と、該清掃手段１２をエスカレータ乗降口の円弧状反転部１１４の所定の高さ位置に手摺１１０にあてがわせた状態で支持させる支持装置１４と、手摺１１０を清掃中であることをエスカレータ利用者に視認させるための表示手段５０と、を備え、表示手段５０は、エスカレータの移動手摺１１０に当接し、該手摺１１０の移動に伴って回転することにより視覚的に注目喚起させる表示用回転部材５４を含むエスカレータの手摺清掃装置１０から構成される。
【０００７】
また、支持装置１４は、エスカレータ乗降口１１２の円弧状反転部１１４の縦壁（１０８）を第１、第２の挟持部材２６、２８で挟持して清掃手段を該所定の高さ位置に支持する挟着装置１８を有することとしてもよい。
【０００８】
また、支持装置１４は、エスカレータ乗降口１１２の円弧状反転部１１４の縦壁（１０８）の壁面に吸着して清掃手段の支持位置を保持する吸盤装置２０を含むこととしてもよい。
【０００９】
また、支持装置０２は、該清掃手段１２を外部から覆って収容状に保持するカバー体１６を有することとしてもよい。
【００１０】
また、表示手段５０は、支持装置１４に着脱自在に装着され、図及び／又は文字が施された表示体５２を含むこととしてもよい。
【００１１】
また、表示体５２と支持装置１４とは、磁力吸着により吸着可能に設けられたこととしてもよい。
【発明の効果】
【００１２】
本発明のエスカレータの手摺清掃装置によれば、エスカレータの手摺の表面にあてがって該手摺を清掃する清掃手段と、該清掃手段をエスカレータ乗降口の円弧状反転部の所定の高さ位置に手摺にあてがわせた状態で支持させる支持装置と、を備えたことから、手摺清掃装置をエスカレータ利用者の目に留まりやすい位置でかつ邪魔にならない位置に設置させることができるので、常時エスカレータの手摺が清掃されて清潔であることを利用者に注目喚起させて、該利用者が抵抗なく手摺をつかんで利用するように促すことができる結果、利用者の安全性を向上させ得る。
【００１３】
また、支持装置は、エスカレータ乗降口の円弧状反転部の縦壁を第１、第２の挟持部材で挟持して清掃手段を該所定の高さ位置に支持する挟着装置を有する構成とすることにより、簡単な構成で低コストで製造できるうえ、確実に清掃手段を利用者が視認できる所定の位置に支持できるとともに、利用者の邪魔になりにくく、実用性を向上できる。
【００１４】
また、支持装置は、エスカレータ乗降口の円弧状反転部の縦壁の壁面に吸着して清掃手段の支持位置を保持する吸盤装置を含む構成とすることにより、簡単な構成で確実に清掃手段をエスカレータの縦壁に支持できる。特に、例えば、挟着装置と協働させた構成とすると、より確実に安定的に清掃手段を所定の位置に支持でき、位置がずれにくく常時良好かつ確実に手摺を清掃できる。
【００１５】
また、支持装置は、該清掃手段を外部から覆って収容状に保持するカバー体を有する構成とすることにより、エスカレータ利用者からは清掃手段が直接見えず、手摺清掃装置の外観意匠を向上させうる。
【００１６】
また、手摺を清掃中であることをエスカレータ利用者に視認させるための表示手段を備えた構成とすることにより、エスカレータ利用者により確実に清掃中であることを視認させて、手摺をつかむことを促す効果の向上を期待できる。
【００１７】
また、表示手段は、支持装置に着脱自在に装着され、図及び／又は文字が施された表示体を含む構成とすることにより、表示手段を簡単な構成でかつ低コストで具体的に実現することができる。また、必要に応じて表示体を支持装置から着脱して、表示の有無、表示内容の変更を適宜選択することができる。
【００１８】
また、表示体と支持装置とは、磁力吸着により吸着可能に設けられた構成とすることにより、簡単に表示体を着脱操作できる。
【００１９】
また、表示手段は、エスカレータの移動手摺に当接し、該手摺の移動に伴って回転することにより視覚的に注目喚起させる表示用回転部材を含む構成とすることにより、表示用回転部材の回転による視覚効果で、利用者に清掃中であることをより視認させやすくすることができる。
【図面の簡単な説明】
【００２０】
【図１】エスカレータの概略説明図と本発明のエスカレータの手摺清掃装置の第１の実施形態の概略説明図である。
【図２】図１のエスカレータの手摺清掃装置の表示体を分離した状態で一部を切欠いた斜視図である。
【図３】図１のエスカレータの手摺清掃装置の正面図である。
【図４】図１のエスカレータの手摺清掃装置の表示体を分離した状態の正面図である。
【図５】図１のエスカレータの手摺清掃装置の側面図である。
【図６】図１のエスカレータの手摺清掃装置の平面図である。
【図７】図１のエスカレータの手摺清掃装置のＡ−Ａ線面図である。
【図８】図１のエスカレータの手摺清掃装置の作用説明図である。
【図９】図１のエスカレータの手摺清掃装置の他の実施例の説明図である。
【発明を実施するための形態】
【００２１】
以下添付図面を参照しつつ本発明のエスカレータの手摺清掃装置の実施形態について説明する。本発明に係るエスカレータの手摺清掃装置は、例えば、エスカレータの移動手摺を自動的に清掃する清掃具である。図１ないし図９は、本発明のエスカレータの手摺清掃装置（以下、単に「手摺清掃装置」ともいう）の第１の実施形態を示している。図１、図２に示すように、本実施形態では、エスカレータの手摺清掃装置１０は、清掃手段１２と、該清掃手段１２を支持する支持装置１４と、を備えている。
【００２２】
本実施形態では、例えば、図１に示すように、エスカレータ１００は、階段状のステップ１０２を有し、斜めに昇降する場合で説明する。エスカレータ１００は、周知従来のものであり、概略説明すると図示しない駆動装置で利用者が載るステップ１０２が循環しながら昇降移動する。エスカレータのステップ１０２の左右両側には、エスカレータの昇降移動する傾斜部分と乗降口１１２の水平部分とに沿って欄干部が設けられている。欄干部には、デッキボード１０６上に縦壁部として内側板１０８が立設されている。内側板１０８の上端に、ステップ１０２の昇降移動に同期して移動する手摺１１０が設けられ、内側板１０８の長手方向に沿ったレールを介して案内される。エスカレータの乗降口１１２では、内側板１０８は側面視で半円弧状に形成されており、該半円弧状形状に沿って手摺１０６が反転移動する円弧状反転部１１４が構成されるとともに、デッキボード１０６の乗降口側の端部に設けられた手摺出入口１１６から手摺１１０が出入する。図６に示すように、本実施形態では、内側板１０８は、手摺１１０の左右幅の略中央位置となるように配置されている。なお、エスカレータは、例えば、利用者が載る踏み面が階段状でなく略平らとなるベルト状のものや、移動方向が水平方向となる水平移動式のエスカレータでもよい。
【００２３】
図１、図２、図５に示すように、清掃手段１２は、エスカレータの手摺１１０の表面側に配置されて該手摺１１０を清掃する手段である。清掃手段１２は、例えば、その横幅が手摺１１０の横幅と略同じか若干長い長さの横長直方体状の清掃用スポンジ等からなり、一つの面を清掃面１３ａとして手摺１１０の表面にあてがってクリーニングする清掃部材１３からなる。なお、清掃手段１２は、例えば、ブラシ、タワシ又は布、不織布等、その他手摺１１０の表面にあてがって汚れを落としたり拭ったりするもの等任意のものでもよい。また、清掃手段１２は、一つに限らず複数の清掃部材を設置することとしてもよい。また、清掃手段１２は、スポンジ等の清掃部材１３に隣接して洗浄液や抗菌剤等を清掃部材１３や手摺１１０に付与する構成を設けてもよい。
【００２４】
図２、図４、図５に示すように、支持装置１４は、清掃手段１２をエスカレータ乗降口１１２の円弧状反転部１１４の所定の高さ位置に、手摺１１０の表面側に配置させた状態で支持させる支持手段である。すなわち、エスカレータの手摺清掃装置１０は、エスカレータの乗降口１１２側で、床からある程度高い位置に取付けられ、エスカレータ利用者に視認されやすくかつ邪魔になりにくい位置に設置される。なお、図４は、後述の表示体５２を取り外した状態での正面図である。本実施形態では、支持装置１４は、エスカレータの乗降口１１２の円弧状反転部１１４の内側板１０８を利用して取り付けられて清掃手段１２を支持する構成であり、清掃手段１２をエスカレータの構成要素に取付けるための取付手段１５となっている。
【００２５】
具体的には、支持装置１４は、カバー体１６と、挟着装置１８と、吸盤装置２０と、を有する。カバー体１６は、該清掃部材１３を外部から覆って収容状に保持する。図２、図４、図５、図６、図７に示すように、カバー体１６は、例えば、硬質素材の薄い板を組み合わせて中空偏平箱形状に形成されており、正面壁１６ａと、左右側壁１６ｂ、１６ｃと、天壁１６ｄと、底壁１６ｅと、を有し、正面壁１６ａと対向する背面側を開口１７して、該開口１７に連通した内部空間Ｓが設けられている。カバー体１６は、正面視で略矩形状に形成され、横幅は横長の清掃部材１３の長さより若干長い長さで形成されているが、縦幅は清掃部材１３より十分に大きく設けられている。カバー体１６の天壁１６ｄと底壁１６ｅは側面視で円弧状となるように曲成されており、正面壁１６ａと連続的に一体形成されている。左右側壁１６ｂ、１６ｃは、縦長に設けられ、その上下端部の輪郭形状は、天壁１６ｄ、底壁１６ｅの円弧形状に対応した半円形状で形成されている。カバー体１６は、清掃部材１３を内部空間１６ｆの上部に収容した状態で脱着手段２２を介して該清掃部材１３を着脱可能に保持する。脱着手段２２は、例えば、清掃部材１３の清掃面と対向裏面側に固定された面ファスナ雄部材と、該面ファスナ雄部材を着脱自在に装着するようにカバー体１６の正面壁１６ａの裏面側に固定された面ファスナ雌部材と、からなる。カバー体１６は、清掃部材１３の清掃面を該手摺１１０の表面にあてがわせるように、開口１７をエスカレータの手摺１１０に臨ませた状態で配置され、挟着装置１８を介して支持される。
【００２６】
図８に示すように、カバー体１６は、正面側から開閉可能な構造となっている。これにより、手摺清掃装置１０をエスカレータの円弧状反転部１１４に取り付けた状態で、カバー体１６の正面側を開閉することにより簡単に清掃部材１３を交換操作することができる。例えば、カバー体１６の正面壁１６ａが、上下方向の中間位置で２分割されて薄肉の折曲部１９で接続されており、該折曲部１９を介して清掃部材１３が取り付けられる分割上部側が揺動自在に設けられている。開閉される正面壁１６ａは、カバー体の左右に設けられる閉鎖保持手段２４を介して閉鎖状態で保持される。例えば、閉鎖保持手段２４は、一端を正面壁１６ａの分割上部側に固定し他端を自由端とした面ファスナ雄部材２４ａと、左右側壁１６ｂ、１６ｃの外面側に固定された面ファスナ雄部材２４ｂと、を有する。カバー体１６の正面側の閉鎖状態では、図２のように、面ファスナ雄部材２４ａ、面ファスナ雌部材２４ｂを互いに係着して閉鎖状態を保持しておき、カバー体１６の正面側を開く際には、図８に示すように、面ファスナ雄部材２４ａと面ファスナ雌部材２４ｂを離脱して正面壁１６ａの分割上部側を開くことができる。また、図２、図３に示すように、カバー体１６の正面壁１６ａの下部側と清掃部材１３の設置位置を避けた上下中間位置には、透明部２１が形成されており、正面側から内部空間Ｓ及び手摺１１０側が見えるようになっている。本実施形態では、カバー体１６は、透明部２１が透明なプラスチック等の硬質合成樹脂製板からなり、その他が鉄板等の金属で形成されている。なお、カバー体１６は、上述したものに限らず任意の構造、形状、大きさでもよい。
【００２７】
図２、図５、図６に示すように、挟着装置１８は、エスカレータの円弧状反転部１１２の内側板１０８を挟持して清掃手段１２を支持する挟着支持手段である。本実施形態では、挟着装置１８は、清掃部材１３を保持するカバー体１６に接続されており、第１の挟持部材２６と第２の挟持部材２８と有している。第１、第２の挟持部材２６、２８は、エスカレータの円弧状反転部１１４の所定位置へ支持する際に、内側板１０８を間に挟むように、カバー体１６の横幅方向に互いに対向して配置されている。第１、第２挟持部材２６、２８はそれぞれ、一端をカバー体１６の上下中間位置に固定し他端を背面側に延長させた腕部３０と、エスカレータの内側板１０８に当着するように腕部３０の他端に設けられた当接部３２と、を含む。腕部３０は、例えば、金属製の帯状板材からなるアーム部材であり、手摺１１０を迂回して他端の当接部３２を内側板１０８に当着させ得るように複数個所で曲折されて形成されている。本実施形態では、腕部３０は、例えば、複数のＬ字状板部材を連結して構成されており、カバー体１６に一端を固定された第１Ｌ字部材３４と、第１Ｌ字部材３４に連結された第２Ｌ字部材３６と、第２Ｌ字部材３６に連結され当接部３２が取り付けられる第３Ｌ字部材３８と、を含む。第１、第２、第３Ｌ字部材３４、３６、３８は、ボルトナット等の着脱可能に固定する固定部材４０を介して互いに連結されている。第３Ｌ字部材３８の第２Ｌ字部材３６と連結される板片部には、長孔４２が設けられており、第２Ｌ字部材３６に対する連結位置を変更できるようになっている。これにより、内側板１０８の厚みや支持位置に対応して取付できるようになっている。さらに、第３Ｌ字部材３８の当接部３２が取り付けられる板片部には、長孔４３が設けられており、該当接部３２の取付け位置を変更できるようになっている。なお、腕部３０は、例えば、一つの帯状板部材で構成してもよく、その他任意の構成としてもよい。
【００２８】
それぞれの当接部３２は、例えば、内側板１０８の壁面への当接面３２ａを吸着面とした吸盤部材からなる。吸盤部材は、例えば、吸盤本体４４と、吸盤本体４４の吸着面とは反対側に突設された軸部４６と、軸部４６に枢支軸４８ａを介して取付けられ該枢支軸回りに回動して吸着、解除操作するレバー４８と、を有しており、吸盤装置２０を構成する。すなわち、支持装置１４は、エスカレータ乗降口１１６の円弧状反転部１１２の内側壁１０８の壁面に吸着して清掃手段１２の支持位置を保持する吸盤装置２０を含む。吸盤装置２０は、軸部４６を第３Ｌ字部材３８の長孔４３を貫通させて該軸部４６の先端にレバー４８を枢支軸４８ａを介して取り付けて、腕部３０に組み付けられている。吸盤装置２０は、レバー４８を解除側に操作した状態で吸盤本体４４の吸着面を内側壁１０８の壁面に当着した後、レバー４８を吸着作用側に操作して、吸盤本体４４を内側板１０８に吸着させる。第１、第２の挟持部材２６、２８は、吸盤装置２０を備えたことにより、内側板を挟着する作用に加えて吸盤装置２０による吸着作用により、より確実に支持力を保持することができる。すなわち、挟着装置１８による挟着力と、吸盤装置２０による吸着力とにより、確実に清掃部材１３を所定の高さ位置に保持できるとともに、移動する手摺１１０から清掃部材１３が受ける力に抗して位置を保持でき、位置がずれて清掃部材が手摺から離脱してしまうことなく良好に清掃部材による清掃を行える。なお、本実施形態では、挟着装置１８と吸盤装置２０を同時に備える構成としたが、例えば、当接部３２を吸盤ではなく硬質の板部材やゴム板等として挟着装置１８のみの構成としてもよいし、内側板を挟むことなく吸盤装置２０での吸着力のみで支持する構成としてもよい。
【００２９】
なお、エスカレータの内側板１０８が手摺１１０の左右中央位置ではなく、手摺１１０の左右のいずれかの端部側に寄った位置に設けられている構成の場合には、図９に示した実施形態とするとよい。例えば、図９に示すように、挟着装置１８の第１、第２挟持部材２６、２８の腕部３０の構成が上記のものと異なっている。図９の実施形態では、第１、第２の挟持部材２６、２８によって、第３Ｌ字部材３８の左右方向の長さが異なって設定されており、吸盤装置２０による挟着位置が内側板１０８に対応して設定される。よって、第１、第２挟持部材の腕部３０、すなわち、図６のように同じ長さの第３Ｌ字部材３８と、図９のように異なる長さの第３Ｌ字部材３８とを適宜交換することにより、設置対象のエスカレータの内側板１０８の設置位置に応じて、手摺清掃装置１０を取り付けることができる。
【００３０】
図２、図３、図４に示すように、本実施形態では、手摺清掃装置１０は、手摺１１０を清掃中であることをエスカレータ利用者に視認させるための表示手段５０を備えている。表示手段５０は、例えば、図又は文字が施された表示体５２と、手摺１１０の移動に伴って回転する表示用回転体５４と、を含む。表示体５２は、例えば、薄板部材でその輪郭形状が人やキャラクターの顔を模して略円形状に形成されており、その表面に顔の絵等が記載されている。表示体５２は、目や口等が施された部分が開口５６されており、カバー体１６に取付けた際に、カバー体１６の正面壁１６ａの透明部２１の位置に対応される。また、表示体５２表面には、「ＣＬＥＡＮ」の文字表示が記載されている。表示体５２の裏面側には、磁石５８が固定されており、支持装置のカバー体１６に対して、磁力吸着により吸着可能に設けられている。なお、カバー体１６の正面壁１６ａは、鉄板等の強磁性体金属で形成されていると該磁石５８が吸着するが、正面壁１６ａを強磁性体で形成しない場合には、正面壁１６ａに強磁性体の金属や磁石を固定する構成としてもよい。これによって、必要に応じて、表示体５２をカバー体に近付けるだけで簡単に装着できるとともに、簡単に取り外すことができ、必要に応じで表示体５２を着脱して、異なる図や文字が施された別の表示体５２に交換して表示を変更することも簡単に行える。また、表示体５２は例えば、面ファスナで着脱する構成、爪部等を設けるとともにカバー体に凹部を設けて爪部と凹部とで係着する構成、ネジ等の螺合構造による着脱構造等その他任意の構成としてもよい。
【００３１】
表示用回転部材５４は、例えば、横長円筒状のローラからなり、カバー体１６の左右側壁１６ｂ、１６ｃに両端を軸支させた回転軸５４ａを介して軸回り回転自在に取り付けられている。表示用回転部材５４は、清掃部材１３を支持装置１４でエスカレータの内側板１０８に支持させた状態でローラ周面がエスカレータの手摺１１０に当接するように設置され、該手摺１１０が移動するのに伴って軸回り回転する。したがって、回転している表示用回転部材５４を利用者が見ることによって、手摺清掃装置１０による清掃中であることを確認できる。表示用回転部材５４は、カバー体１６の透明部２１を通して見えるように、該透明部２１の形成位置に対応して互いに上下に離隔して２個配置されている。よって、図２のように、表示体５２の目、口の開口部分を、カバー体の透明な透明部２１に位置合わせして取り付けると、例えば、人の顔を模した表示体５２の目や口部分の開口５６から表示用回転部材５４が回転するのが見え、よりエスカレータ利用者の注目を喚起させ得る。なお、表示手段５０は、上記したものに限らず、任意の構成としてもよい。例えば、表示体５２の形状は、多角形や楕円形、星形、文字等その他任意の形状でもよい。また、表示体５２を立体的なものとしてもよく、清掃手段やカバー体を覆うようにカバーするようなお椀状や箱型形状その他の中空の立体形状としてもよい。表示体５２の図形表示は、人やキャラクター、動物、幾何学模様等、その他任意の図でもよい。表示体５２の文字表示は、例えば、「清掃中」、「クリーニング」等の清掃中であることの表示以外に、「手すりにおつかまりください」等の注意書や広告、宣伝等、その他任意の表示が施されていてもよい。また、表示手段５０は、例えば、カバー体１６自体を人やキャラクター、動物等の形状としたり、カバー体１６表面に図や文字等の表示を施すようにしてもよい。また、表示手段５０の表示用回転部材５４は、例えば、手摺１１０の側方に当接して回転するように設けることとしてもよい。また、表示手段５０は、例えば、注意を喚起させるように赤色や黄色等の任意の色を施したものや、光を反射するミラーや着色された反射部材を有する構造、発光ダイオード等の光で表示する構造等、その他任意の構造でもよい。例えば、発光ダイオード等を利用する場合には、エスカレータの手摺の移動を利用して発電した電力を利用することとしてもよい。
【００３２】
次に、第１の実施形態に係るエスカレータの手摺清掃装置１０の作用について説明する。図１、図５、図６に示すように、エスカレータの乗降口１１２の円弧状反転部１１４において、手摺清掃装置１０を利用者が視認しやすいように床面から所定の高さ位置に設定しながら、対向配置された第１、第２挟持部材２６、２８でエスカレータの内側板１０８を挟むように配置させる。この際、必要に応じて第１、第２挟持部材２６、２８の腕部３０をボルトナット（４０）を着脱して取り付けることとしてもよい。清掃部材１３の清掃面１３ａ及び、表示用回転部材５４の周面を手摺１１０の表面に当接させた状態に位置合わせし、吸盤本体４４を内側板１０８の壁面に当着してレバー４８を操作し、吸盤装置２０で内側板１０８に吸着させると同時に挟着装置１８の第１、第２挟持部材２６、２８で同内側板１０８を挟持して清掃部材１３を支持させる。挟着装置１８及び吸盤装置２０を含む支持装置１４は、内側板１０８を利用して支持させる構成であることから、装置全体をコンパクトにすることができるとともに、簡単な構造で低コストで製造することができるうえ、取付け操作も簡単に行え、さらに、取り付けた状態でも利用者の邪魔になりにくい。手摺清掃装置１０を取り付けて、エスカレータを駆動させて手摺１１０が移動すると、手摺１１０の表面は、清掃部材１３によって自動的に清掃される。手摺清掃装置１０は、上記のようにエスカレータの円弧状反転部１１４で利用者の目に留まる位置に支持されているので、利用者は常に清掃装置を容易に視認できる。さらに、表示体５２の図や文字等の表示や表示用回転部材５４の回転により、利用者は、手摺が清掃中であることを確認できる。その結果、エスカレータ利用者が、手摺１１０が清潔であることを確認でき、抵抗なく自然と手摺につかまって利用することを促すことができ、該利用者の安全性の向上を期待できる。なお、例えば、一定期間経過して清掃部材１３が汚れた場合には、表示体５２を取り外し、図８に示すように、カバー体１６の閉鎖保持手段２４である面ファスナ雄部材２４ａ、面ファスナ雌部材２４ｂを離脱して、カバー体の正面壁１６ａを開く。清掃部材１３を新しいものと交換した後、カバー体１６を閉鎖し表示体５２を取り付けて、再び清掃を行うことができる。
【００３３】
以上説明した本発明のエスカレータの手摺清掃装置は、上記した実施形態のみの構成に限定されるものではなく、特許請求の範囲に記載した本発明の本質を逸脱しない範囲において、任意の改変を行ってもよい。
【産業上の利用可能性】
【００３４】
本発明のエスカレータの手摺清掃装置は、例えば、人が載る移動ステップや移動ベルトが斜めに昇降移動するタイプや、水平方向に移動するタイプ等のエスカレータの移動手摺に取付けて利用できる。
【符号の説明】
【００３５】
１０    エスカレータの手摺清掃装置
１２    清掃手段
１４    支持装置
１６    カバー体
１８    挟着装置
２０    吸盤装置
２６    第１挟持部材
２８    第２挟持部材
５０    表示手段
５２    表示体
５４    表示用回転部材
１００    エスカレータ
１１０    手摺
１１２    乗降口
１１４    円弧状反転部
【図１】
0006265351.tif 000002
【図２】
0006265351.tif 000003
【図３】
0006265351.tif 000004
【図４】
0006265351.tif 000005
【図５】
0006265351.tif 000006
【図６】
0006265351.tif 000007
【図７】
0006265351.tif 000008
【図８】
0006265351.tif 000009
【図９】
0006265351.tif 000010